(57)【特許請求の範囲】
【請求項１】
一端をブラケットに連結し、外周面の一部に外側セレーションを形成したブラケット軸と、基端にブラケット軸と嵌合する支承孔を開口させると共に、この支承孔に垂直なスリットを形成したフォークアームと、このフォークアームの基端部に内蔵され、支承孔の中心軸方向に付勢されたクリック体と、外周に上記クリック体と係合する凹部を形成し、ブラケット軸と嵌合する装着孔を開口させると共に、この装着孔の開口端縁に上記外側セレーションと噛み合い係合可能な内側セレーションを形成したカム板とを有し、上記外側セレーションの装着孔への挿入端部に先細のテーパ部を形成すると共に、カム板のブラケットから遠い方の裏面における装着孔の開口端縁部を、リング状にかしめたことを特徴とするドアクローザの停止角度調整機構。
【発明の詳細な説明】
【０００１】
【発明の属する技術分野】
この発明は、ドアクローザの停止角度調整機構（以下単に停止角度調整機構という）に係り、特に、ブラケットピンに形成された外側セレーションとカム板に形成された内側セレーションとの着脱を容易にしながら、ブラケットピンとカム板の結合を強固にできる停止角度調整機構に関する。
【０００２】
【従来の技術】
ドアクローザの停止装置、すなわち、閉鎖運動中のドアクローザを一時的に停止させる装置は、例えば荷物を室内に搬入するとき、ドアを手で押えておかなくてもよいので便利である。
【０００３】
このドアクローザの停止装置は種々のものが提案されているが、簡単な構造で作動が確実なものとして、ドアクローザのリンク機構に組込まれたものがある。
【０００４】
この停止装置は、図１に示すように、ブラケット１を介して通常は図示しないドア枠に固定されるブラケット軸２に装着され、後述のクリックボールと係合する凹部３を形成したカム板４と、上記ブラケット軸２に回動可能に支承されるフォークアーム５の筒状に形成された基部Ａに収納され、ブラケット軸２方向に付勢された図示しないクリックボール等のクリック体とを有している。
【０００５】
そして、ドアクローザが閉鎖方向に作動し、ブラケット軸２に固定されたカム板４に対し、フォークアーム５がブラケット軸２の回りを相対的に回動してその基部Ａに内蔵されたクリックボールがカム板の凹部３と整合すると、クリックボールが凹部３に填り込んでドアクローザの閉鎖力に対抗してこれを停止させる。
【０００６】
この型式の停止装置は、図２に示すように、その停止角度位置調整機構を内蔵することができる。
【０００７】
すなわち、図２において符号６はブラケット１に固定されたブラケット軸２の基部において、その母線方向に形成された外側セレーションで、この外側セレーション６は、カム板４の装着孔７の開口端縁に形成された内側セレーション８と噛み合うことができる。
【０００８】
そして、上記のように形成されたカム板４は、フォークアーム５の基端に形成されたスリット９に水平方向に挿入され、その装着孔７をフォークアームの回動軸と同軸に整合した後、ブラケット軸２をフォークアーム５の基端の支承孔１１に挿入して内側及び外側セレーション８、６を適当な相対角度位置で噛み合わせる。
【０００９】
なお、上記のように構成された停止角度調整機構は、カラー１２、１２、支持盤１３及びカバー１４と共に止めねじ１５で一体的に結合される。
【００１０】
その為、止めねじ１５を緩めれば各構成部材は図２で上下方向に相対移動可能になるので、カム板４の内側セレーション８とブラケット軸の外側セレーション６との噛み合い係合を得ことができ、従ってこれらの相対角度位置を調整した後止めねじ１５を再度締結することにより停止角度の調整ができる。
【００１１】
なお、本出願人は、先に、特願平１０−１９８０６１〜２号を以て、治具を用いて上記ブラケット軸２とカム板４との係脱を半自動的に行うことができる停止角度調整機構を提案している。
【００１２】
【発明が解決しようとする課題】
上記した各種の停止角度調整機構は勿論所期の機能を発揮して実用されているが、従来のものは、外側及び内側セレーション６、８の嵌合がしっくりとしているため、停止角度の調節の際これらの係脱が円滑に行われない、という恨みが残る。
【００１３】
換言すれば、カム板４がブラケット軸２に填り難く、また、外し難いのである。上記本出願人の提案に係るものは治具を介して係脱を行うため尚更である。
【００１４】
これら外側及び内側セレーションの係脱を容易にしようとしてこれらの嵌め合いを緩くすると、今度はバックラッシュが生じてドアクローザの作動時異音や騒音が生じる、という不都合がある。
【００１５】
そこで、この発明は、ブラケット軸とカム板との係脱が容易であり、しかもバックラッシュが生じない停止角度調整機構を提案し、以て上記した不都合を解消することを目的としている。
【００１６】
【課題を解決するための手段】
上記の目的を達成するため、この発明は、一端をブラケットに連結し、外周面の一部に外側セレーションを形成したブラケット軸と、基端にブラケット軸と嵌合する支承孔を開口させると共に、この支承孔に垂直なスリットを形成したフォークアームと、このフォークアームの基端部に内蔵され、支承孔の中心軸方向に付勢されたクリック体と、外周に上記クリック体と係合する凹部を形成し、ブラケット軸と嵌合する装着孔を開口させると共に、この装着孔の開口端縁に上記外側セレーションと噛み合い係合可能な内側セレーションを形成したカム板とを有し、上記外側セレーションの装着孔への挿入端部に先細のテーパ部を形成すると共に、カム板のブラケットから遠い方の裏面における装着孔の開口端縁部を、リング状にかしめたことを特徴とする。
【００１７】
【実施例】
以下この発明の一実施例を図３及び図４を参照して説明する。
図３はこの発明の一実施例による停止角度調整機構の要部を示し、図中符号２はブラケット軸を示す。
【００１８】
このブラケット軸２の上端は上端をブラケット１（図１及び図２参照）に溶接又はかしめにより結合される短柱体である。
【００１９】
このブラケット軸２の外周面の例えばほぼ中央には外側セレーション６が形成されている。
【００２０】
なお、図１及び図２に示す従来のドライバ等の工具を用いて分解、角度調整、及び組立てを繰り返す従来型のものと、前記本出願人先の提案に係る特願平１０−１９８０６１〜２号の明細書、図面に記載されたものとは夫々その目的に応じてこのブラケット軸２の形状が異なるが、その形状の相違はこの発明の要旨ではないので、更に詳細な説明は省略する。
【００２１】
通常は固定されているこのブラケット軸２に、装着孔７の開口端縁に内側セレーション８を形成したカム板４が矢印Ａ方向に挿入されて嵌着される。
【００２２】
カム板４の装着時、これをブラケット軸２側から見れば、図３における外側セレーション６の下端が挿入端になる。
【００２３】
そして、この外側セレーション６の挿入端には、図４に示すように、先細のテーパ部１６が形成されている。
【００２４】
このテーパ部１６の片側テーパ角度、すなわち、図４に示す角度αは、例えば３度程度（図４ではこの角度を誇張して示している）が好適である。
【００２５】
また、このテーパ部１６の母線方向の長さは、図示の実施例では、外側セレーション６の母線方向の長さの約２／３としている。実製品では、このテーパ部１６の長さは約２ｍｍ（粍）程度である。
【００２６】
上記した設計条件では、外側セレーション６の外径を２０ｍｍとしたとき、テーパ部１６の挿入端の外径は約１９．８ｍｍとなる。
【００２７】
上記のように外側セレーション６にテーパ部１６を設けると、カム板４との嵌合が円滑になりスルリと装着できる一方、装着後テーパ部１６とカム板の装着孔７との間にバックラッシュ（ガタ）が生じ、不快な異音が発生することがある。
【００２８】
これを防止するため、図５に示すように、カム板４のブラケット１（図２参照）から遠い方の裏面（図３及び図５で下面）における装着孔７の開口端縁部をリング状にかしめ付け、開口端縁のカム板裏面近傍に環状の張出し部１７を形成する。
【００２９】
この張出し部１７は、内側セレーション８を構成する多数の突条の一つ一つが外側セレーション６のテーパ部１６の下端における突条間の谷間に入り込む、という態様でテーパ部と係合することは言う迄もない。
【００３０】
上記張出し部１７を形成するためのかしめ付けは、例えば、内径が内側セレーション８の外接円より少し大きく、肉厚が２ｍｍ程度のパイプ状のポンチをカム板４の裏面側から装着孔７と同軸に打撃する。
【００３１】
このとき、リング状の圧痕１８の深さは、例えば０．２〜０．３ｍｍが好適である。
【００３２】
なお、上記張出し部１７の装着孔７の中心軸線方向の突出量が過大になり、装着時張出し部１７が外側セレーションのテーパ部１６と齧り合うことが無いように、かしめ付け時製品と同寸法のテーパ部１６を形成した外側セレーション６を有する治具にカム板を装着し（図示せず）、しかる後ポンチでかしめ付けるを可とする。
【００３３】
このようにすると、張出し部１７の内側突出量は治具によって抑制され、過大にならない。
【００３４】
上記した構成のこの発明は、図１及び図２に示す従来型の停止角度調整機構に限らず、前記本出願人の先の提案に係る特願平１０−１９８０６１〜２号の明細書、図面に記載されたものにも適用できることは言う迄もない。
【００３５】
【発明の効果】
以上の説明から明らかなように、この発明は、ブラケット軸の外側セレーションの装着孔への挿入端部に先細のテーパ部を形成すると共に、カム板のブラケットから遠い方の裏面における装着孔の開口端縁部を、リング状にかしめたので、ブラケット軸に対するカム板の係脱が極めて円滑になるばかりでなく、両者の結合状態におけるガタや異音の発生が皆無である。
【００３６】
また、発明の構成が極めて簡単である、等種々の効果を奏する。
【図面の簡単な説明】
【図１】停止装置を備えた従来のドアクローザのリンク機構の外観斜視図。
【図２】その停止角度調整機構の構成部材を展開して示す外観斜視図。
【図３】この発明の要部を示すブラケット軸とカム板の線図的一部断面正面図。
【図４】図３のＢ部の拡大図。
【図５】図３のＣ部の拡大図。
【符号の説明】
１  ブラケット
２  ブラケット軸
３  凹部
４  カム板
５  フォークアーム
６  外側セレーション
７  装着孔
８  内側セレーション
９  スリット
１０  上部カラー
１１  支承孔
１６  テーパ部
１７  張出し部
１８  圧痕
【図１】
0004017327.tif 000002
【図２】
0004017327.tif 000003
【図３】
0004017327.tif 000004
【図４】
0004017327.tif 000005
【図５】
0004017327.tif 000006